(57)【特許請求の範囲】
【請求項１】
剛性が低く且つ偏平度の高い自立困難なドーム型の屋根をタンク本体の底部にて多数の支保工により支えながら組み立てた後に、張力調整手段を介在させた複数のワイヤによりタンク本体の側壁部から前記屋根の適宜位置を吊り下げ支持し且つその吊り下げ支持を前記各ワイヤに掛かる張力を監視して該張力が常に均等に保持されるよう調整しながら行い、然る後に、前記屋根を支えている支保工を撤去して屋根下面に対する敷設作業を施し、前記屋根とタンク本体の底部との間に加圧空気を導入して空気圧により前記屋根を支えながら前記各ワイヤを撤去し、次いで、更なる加圧空気の導入により前記屋根を空気圧で上昇させてタンク本体の側壁部上端に固定することを特徴とするタンク屋根の建築工法。
【発明の詳細な説明】
【０００１】
【発明の属する技術分野】
本発明は、タンク屋根の建築工法に関するものである。
【０００２】
【従来の技術】
ＬＮＧ（液化天然ガス）等の低温液化ガスを貯蔵する地下式低温タンクを建設する場合には、地面を掘り下げて必要な容積の地下空間を形成し、該地下空間に底部と側壁部とを有する鉄筋コンクリート構造のタンク本体を建築し、然る後に、タンク本体の底部でドーム型の鋼製屋根を組み立て、次いで、鋼製屋根とタンク本体の底部との間に加圧空気を導入して空気圧により鋼製屋根を浮上させ、該鋼製屋根をタンク本体の側壁部の上端に連結するというエアレイジング工法が採用されている。
【０００３】
斯かる地下式低温タンクにおいては、鋼製屋根を空気圧により浮上させてタンク本体の側壁部上端に連結した後に、前記鋼製屋根の上面に鉄筋やＰＣ鋼線を配した上でコンクリートを打設してプレストレスを与えたコンクリート製屋根部を構成するようにしたものがあるが、このようなコンクリート製屋根部の構成要素を成す鋼製屋根の場合には、一般的に、コンクリート製屋根部として完成する前の段階で十分な剛性がなく、しかも、比較的偏平度の高いドーム型に形成されるので、タンク本体の底部での組み立て時に鋼製屋根を自立させておくことが困難で、多数の支保工で下方から支えながら組み立てなければならない。
【０００４】
【発明が解決しようとする課題】
しかしながら、前述した如き従来工法においては、鋼製屋根を空気圧で浮上させる前に、高所作業車等を使用して鋼製屋根の下面に対し保冷材やメンブレンを敷設する作業を行わなければならないが、鋼製屋根の下側には多数の支保工が林立しているので、これらの支保工が邪魔になって前記保冷材やメンブレンを敷設する作業を行い難いという不具合があった。
【０００５】
本発明は上述の実情に鑑みてなしたもので、剛性が低く且つ偏平度の高い自立困難なドーム型の屋根を建築するにあたり、屋根を下方から支える多数の支保工を撤去して、前記屋根下面に対する敷設作業を容易に行い得るようにすることを目的としている。
【０００６】
【課題を解決するための手段】
本発明は、剛性が低く且つ偏平度の高い自立困難なドーム型の屋根をタンク本体の底部にて多数の支保工により支えながら組み立てた後に、張力調整手段を介在させた複数のワイヤによりタンク本体の側壁部から前記屋根の適宜位置を吊り下げ支持し且つその吊り下げ支持を前記各ワイヤに掛かる張力を監視して該張力が常に均等に保持されるよう調整しながら行い、然る後に、前記屋根を支えている支保工を撤去して屋根下面に対する敷設作業を施し、前記屋根とタンク本体の底部との間に加圧空気を導入して空気圧により前記屋根を支えながら前記各ワイヤを撤去し、次いで、更なる加圧空気の導入により前記屋根を空気圧で上昇させてタンク本体の側壁部上端に固定することを特徴とするタンク屋根の建築工法、に係るものである。
【０００７】
このようにすれば、タンク本体の側壁部からワイヤを介し屋根の適宜位置を吊り下げ支持し、前記屋根を支えている支保工を撤去することが可能となるので、該支保工を撤去して確保した広い作業空間を利用することにより、屋根の下面に対する敷設作業を容易に行うことが可能となる。
【０００８】
また、本発明においては、張力調整手段を介在させた複数のワイヤにより屋根を吊り下げ支持し、その吊り下げ支持を前記各ワイヤに掛かる張力を監視して該張力が常に均等に保持されるよう調整しながら行うようにしているので、外気温の変化によりワイヤが伸縮するようなことがあっても、該ワイヤの張力を監視することにより屋根の変位を制御して該屋根を安定して支持させることが可能になる。
【０００９】
【発明の実施の形態】
以下、本発明の実施の形態を図面を参照しつつ説明する。
【００１０】
図１〜図６は本発明を実施する形態の一例を示すもので、図１に示す如く、地下式低温タンクを建設するにあたっては、地面を掘り下げた地下空間１に底部２を構築し、次いで、底部２の周囲から上方に側壁部３を逐次構築してタンク本体４を建築していくことになるが、底部２を構築し終えた段階で該底部２にてドーム型の屋根５の建築を開始する。
【００１１】
ここで、図示する例におけるドーム型の屋根５は、剛性が低く且つ偏平度の高い自立困難なものであるので、中央部を仮設の架台６で、周縁部を側壁部３に仮設したブラケット７で支え、且つ中央部と周縁部との間を多数の支保工８により下方から支えて組み立てるようにする。尚、屋根５の周縁部下面側には、全周に亘る環状の歩廊９を取り付け、屋根５の組み立てが進むにつれて屋根５の周縁部を歩廊９によっても支え得るようにする。
【００１２】
このようにして屋根５を組み立てて該屋根５の内面施工に入る段階において、側壁部３の適宜高さで周方向複数箇所にブラケット１０を仮設し、組み立てを完了した屋根５の上面における半径方向複数箇所にもブラケット１０に対応してブラケット１１を仮設する。
【００１３】
ここで、屋根５の上面には、図３に示すように、その半径方向及び円周方向に屋根骨１２が接合されているので、この屋根骨１２を利用してブラケット１１を装着仮設する。
【００１４】
そして、ターンバックル等の張力調整手段１３と張力計１４とを介在させたワイヤ１５の両端をブラケット１０，１１に係止して、ブラケット１０，１１間にワイヤ１５を張設し、張力調整手段１３と張力計１４とを介在させた複数のワイヤ１５で屋根５を上方から吊り下げ支持する。
【００１５】
この際、各張力計１４を監視してターンバックル等の張力調整手段１３を調整し、複数のワイヤ１５に張力が均等に掛かるようにする。
【００１６】
屋根５をワイヤ１５で上方から吊り下げ支持した後には、屋根５の下方に配置されていた支保工８を図４に示すように撤去して広い作業空間１６を屋根５の下側に確保し、この作業空間１６に図示しない高所作業車を搬入し、ワイヤ１５で上方から吊り下げ支持されている屋根５の下面に対する保冷材１７やメンブレン１８の敷設作業を行う。
【００１７】
一方、この間にも側壁部３の構築が進んで、図５に示すように側壁部３は最上部まで構築されてタンク本体４の建築も完了し、側壁部３最上部の内周側には、リングプレート１９が取り付けられた状態になっている。
【００１８】
そこで、新たに別の複数のワイヤ２０の上端をリングプレート１９に係止して吊り下げ、ターンバックル等の張力調整手段１３と張力計１４とを介在させてワイヤ２０の下端をブラケット１１に結合し、リングプレート１９とブラケット１１との間に張力調整手段１３と張力計１４とを介在させた別の複数のワイヤ２０を張設し、複数のワイヤ２０で屋根５を上方から吊り下げ支持し、今まで屋根５を吊り下げ支持していたワイヤ１５を撤去する。
【００１９】
続いて、仮設のブラケット７，１０を撤去し、屋根５周縁部下面には、シール材２１を側壁部３の内壁面に当接するように支持した状態で取り付けるが、別の複数のワイヤ２０で屋根５を上方から吊り下げ支持した後も、ワイヤ２０に介在されている各張力計１４を監視してターンバックル等の張力調整手段１３を調整し、複数のワイヤ２０に張力が均等に掛かるようにする。
【００２０】
以上のようにして屋根５の下面に対する保冷材１７やメンブレン１８の敷設を終了し、仮設のブラケット７，１０を撤去し、屋根５周縁部下面にシール材２１を取り付けた後、複数のワイヤ２０で吊り下げ支持している屋根５とタンク本体４の底部２との間に加圧空気を導入し、空気圧により屋根５を図６に示すように上昇させる。
【００２１】
この際には、仮設のブラケット７，１０は撤去されているので、シール材２１は側壁部３の内壁面に密に当接した状態を保ちながら屋根５と共に上昇するため、屋根５の周縁部と側壁部３の内壁面との間から加圧空気が漏れることはない。
【００２２】
そして、空気圧により屋根５が地切りした段階で、ワイヤ２０を撤去し、該屋根５をタンク本体４の最上部まで上昇させた後、屋根５の周縁部上面側をリングプレート１９に締結し、屋根５の上面に鉄筋やＰＣ鋼線を配した後、空気圧で屋根５を支えながらコンクリートを打設してプレストレスを与えたコンクリート屋根を構成し、加圧空気の導入を止めてシール材２１、架台６を除去する。
【００２３】
従って、上記形態例によれば、屋根５をワイヤ１５，２０で上方から吊り下げ支持し、屋根５の下に配置された支保工８を撤去することができるので、支保工８を撤去して確保した広い作業空間１６を利用して屋根５の下面に対する保冷材１７やメンブレン１８の敷設作業をきわめて容易に行うことができる。
【００２４】
そして、ワイヤ１５，２０は、ターンバックル等の張力調整手段１３と張力計１４とを介在させているので、張力計１４を監視して張力調整手段１３により複数のワイヤ１５，２０の張力が所定の管理値になるようにすれば、外気温の変化によりワイヤ１５，２０が伸縮するようなことがあっても、屋根５の変位を制御し得て、安定した状態で屋根５を上方から吊り下げ支持することができる。
【００２５】
尚、本発明のタンク屋根の建築工法は、上述の図示例にのみ限定されるものではなく、本発明の要旨を逸脱しない範囲内において種々変更を加え得ることは勿論である。
【００２６】
【発明の効果】
上記した本発明のタンク屋根の建築工法によれば、下記の如き種々の優れた効果を奏し得る。
【００２７】
（Ｉ）剛性が低く且つ偏平度の高い自立困難なドーム型の屋根を建築するにあたり、屋根をワイヤで上方から吊り下げ支持し、屋根の下に配置された支保工を撤去することができるので、支保工を撤去して確保した広い作業空間を利用して屋根の下面に対する保冷材やメンブレン等の敷設作業をきわめて容易に行うことができる。
【００２８】
（ＩＩ）張力調整手段を介在させた複数のワイヤにより屋根を吊り下げ支持し、その吊り下げ支持を前記各ワイヤに掛かる張力を監視して該張力が常に均等に保持されるよう調整しながら行うようにしているので、外気温の変化によりワイヤが伸縮するようなことがあっても、該ワイヤの張力を監視することにより屋根の変位を制御して該屋根を安定して支持させることができる。
【図面の簡単な説明】
【図１】本発明を実施する形態の一例を示す縦断面図である。
【図２】図１の屋根をワイヤで吊り下げ支持した状態を示す縦断面図である。
【図３】張力調整手段の一例を示す拡大図である。
【図４】図２の支保工を撤去した状態を示す縦断面図である。
【図５】図４のワイヤをリングプレートから吊り直した状態を示す縦断面図である。
【図６】図５の屋根を空気圧により上昇させてタンク本体の最上部に固定した状態を示す縦断面図である。
【符号の説明】
３    側壁部
４    タンク本体
５    屋根
８    支保工
１３    張力調整手段
１５，２０    ワイヤ
【図１】
0004172896.tif 000002
【図２】
0004172896.tif 000003
【図３】
0004172896.tif 000004
【図４】
0004172896.tif 000005
【図５】
0004172896.tif 000006
【図６】
0004172896.tif 000007